(57)【特許請求の範囲】
【請求項１】
前側部分（１２）と後側部分（１４）とその間にある処置範囲（１６）とを備え、更に、後側部分（１４）の側方縁部（２０，２２）に配置された、着用者に当てがわれた用品（１０）を閉じるために後側部分（１４）と前側部分（１２）に連結するための閉鎖タブ（２４，２６）を備え、この閉鎖タブ（２４，２６）が第１の機械的な閉鎖要素（３２）を備え、用品を閉じるときにこの第１の閉鎖要素が前側部分（１２）に設けられた第２の機械的な閉鎖要素と協働し、閉鎖タブ（２４，２６）を用品（１０）の他の部分にも固着できるようにするために、閉鎖タブ（２４，２６）がそれぞれ、粘着するように形成された少なくとも１つの範囲を有する、使い捨ておむつ、または失禁製品から選択される１回限りの使用のための衛生用品において、第１の種類の機械的な閉鎖要素（３２）の少なくとも一部が、閉鎖タブ（２４，２６）と反対側のその端部に、それぞれ１つの粘着剤層（３８）を備え、この閉鎖要素（３２）が同時に、粘着するように形成された範囲を形成し、それによって用品の閉鎖時に機械的な機能を有すると同時に、用品を廃棄するために折り畳まれた用品または丸められた用品の第２の機械的な閉鎖要素以外の他の部分に閉鎖タブを固着する際に粘着機能を有し、第１の種類の閉鎖要素（３２）が小さなフックとして形成され、かつ、第２の種類の閉鎖要素がループとして形成されていることを特徴とする衛生用品。
【請求項２】
第１の種類のほぼすべての開鎖要素（３２）が粘着剤層（３８）を有することを特徴とする請求項１記載の衛生用品。
【請求項３】
第１の種類の閉鎖要素（３２）が柱部（３４）と頭部（３６）を有するキノコの形をしていることを特徴とする請求項１または２記載の衛生用品。
【請求項４】
第１の種類の閉鎖要素（３２）の頭部（３６）が平坦であることを特徴とする請求項３記載の衛生用品。
【請求項５】
第１の種類の閉鎖要素（３２）の横断面がＴ字形であることを特徴とする請求項４記載の衛生用品。
【請求項６】
第１の種類の閉鎖要素（３２）の間の少なくとも一部範囲に、他の粘着剤層（４２）が設けられていることを特徴とする請求項１〜５のいずれか一つに記載の衛生用品。
【請求項７】
他の粘着剤層（４２）の厚さ（Ｄ）が閉鎖タブ（２４，２６）の縦方向に変化していることを特徴とする請求項６記載の衛生用品。
【請求項８】
他の粘着剤層（４２）の厚さ（Ｄ）が閉鎖タプの自由端（４４）の方に連続的に薄くなっていることを特徴とする請求項７記載の衛生用品。
【発明の詳細な説明】
本発明は、請求項１の上位概念に記載した１回限りの使用のための衛生用品に関する。
おむつ、失禁製品のような公知の吸収性使い捨て用品は、吸収体と前側部分と後側部分を備えている。用品を着用者に当てがうときに、前側部分と後側部分は閉鎖手段を介して互いに連結される。一般的に後側部分の側方縁部に設けられた粘着帯からなる閉鎖手段は、汚れた用品を前側部分から取り外すために再び剥がすことが可能である。そして、使用済みの使い捨て用品はその廃棄のために、小さなパックに折り畳むかまたは丸めることができる。粘着帯が外部から丸められた用品に固定されると、用品の廃棄時に、吸収性用品によって収容された排泄物が丸められた用品から漏れる危険がない。
閉鎖手段が粘着帯として形成されている場合には、この閉鎖手段はおむつの任意の部分に固着可能である。すなわち、特に小さなパックに丸めた用品にも固着可能である。しかし、粘着帯は、油、クリーム、パウダー等によって汚れて粘着しないと、おむつをもはや閉じることができないという重大な欠点がある。そこで、粘着帯が機械的な固定手段、例えば面ファスナーによって置き換えられた。粘着帯は第１の機械的な閉鎖要素、例えば小さなフックを有する閉鎖タブによって置き換えられる。このフックは着用者に当てがわれた用品を閉鎖するために、第２の機械的な閉鎖要素、例えば前側部分に設けられたループに連結される。使い捨て用品を丸めた状態で保持することはもはや不可能である。なぜなら、粘着閉鎖部の一部を有する閉鎖タブを、丸めたおむつにもはや固着できないからである。というのは、閉鎖タブが補完的な閉鎖部分に相応して丸めて包みこまれるからである。
この問題を解決するために、ヨーロッパ特許出願公開第０３２１２３２号公報では、閉鎖手段を備えた吸収性使い捨て用品が提案されている。この閉鎖手段は機械的な閉鎖要素に加えて粘着剤を有する範囲を備えているので、閉鎖手段は機械的な閉鎖手段にもかかわらず、丸められた用品にも固着可能である。この公知の閉鎖手段の欠点は、機械的な閉鎖要素と粘着剤を有する範囲が場所をとるので、大きく、特に長く形成しなければならないことにある。従って、使い捨て用品はコスト的に望ましくない。
ヨーロッパ特許出願公開第０４１８９５４号公報により、機械的および粘着的に作用し互いに補完的に係合可能な表面構造体を備えた特に衛生用品のための固定装置が知られている。
国際特許出願公開番号ＷＯ９６／２５９０５には、面ファスナー固定装置において、フックを形成する要素と、ループを形成する要素が凝集性粘着剤を付加的に備えている。それによって、面ファスナー要素の間に、所望の付着特性（剪断力および剥ぎ取り力）を生じることができる。
ヨーロッパ特許出願公開第０３９３９５３号公報により、例えば生理バンドを衣類に固定するために、粘着剤層が知られている。この生理バンドが衣類の繊維材料に良好に付着するように、粘着剤層を有する生理バンドの側に、突起が設けられている。この突起は繊維材料内に押し込まれ、生理バンドを滑らないように固定する。一般的に合成樹脂フィルムを備え、繊維材料を備えていない使い捨ておむつには、突起を有する粘着剤層は適していない。というのは、突起がフィルム内に侵入しないので、このような粘着剤層は使い捨ておむつに固定できないからである。
この技術水準から出発して、本発明の課題は、機械的な閉鎖要素と少なくとも１つの粘着範囲とを有する、簡単に構成され確実に閉じる改良された閉鎖タブを備えている、１回限りの使用のための改良された衛生用品を提供することである。用品は確実に廃棄可能であるべきであり、丸められたまたは折り畳まれた用品の不意の開放を防止できるようにすべきである。
この課題は請求項１に記載の特徴を有する衛生用品によって解決される。
第１の種類の機械的な閉鎖要素の少なくとも一部が閉鎖タブと反対側のその端部に、それぞれ１つの粘着剤層を備え、この閉鎖要素が粘着するように形成された範囲を形成すると、この閉鎖要素は用品の閉鎖時に機械的な機能を有すると同時に、用品を廃棄するために折り畳まれた用品または丸められた用品の第２の機械的な閉鎖要素の外側の他の部分に閉鎖タブを固着する際に粘着機能を有する。それによって、おむつを着用者に当てがうときに常に確実に閉鎖可能であるという他の利点が生じる。なぜなら、例えば閉鎖タブが閉鎖時におむつ上に正確に位置決めされず、それによって第１の種類の機械的な閉鎖要素の一部だけが第２の種類の閉鎖要素に係合するときに、それにもかかわらず第１の種類の閉鎖要素が本発明による粘着剤層によっておむつに固定されるからである。この利点は、第１の種類の機械的な閉鎖要素とは別個に配置され粘着剤を有する公知の範囲では得られない。
本発明による用品の閉鎖タブは第１の閉鎖要素の二重機能に基づいて短く形成可能であり、それによって材料が節約される。粘着するように形成された範囲は、機械的な閉鎖要素とは別個に配置され粘着剤を有する公知の範囲よりも汚れるのが遅い。というのは、汚染物、例えば油が閉鎖要素の個々の粘着剤層から閉鎖要素の間の中間室内に“流出”可能であるからである。中間室内では汚染が妨害されないので、本発明よる用品は閉鎖タブの汚染物の影響を受けにくい。第１の種類のほぼ全部の閉鎖要素が、最大の粘着力を得るために、粘着剤層を備えていると有利である。本発明の簡単な実施形では、第１の種類の閉鎖要素が、公知の面ファスナーの場合と同様に、小さなフックとして形成されている。第１の種類の閉鎖要素は好ましくは、柱部と頭部を有するキノコ状の形をしている。それによって、多量の粘着剤を個々の閉鎖要素に塗布することができる。
閉鎖要素に塗布される粘着剤の量を更に増やすことができるようにするために、第１の種類の閉鎖要素の頭部は平坦になっており、閉鎖要素の横断面は好ましくはＴ字状の形をしている。
請求項６記載の本発明の実施形では、第１の種類の閉鎖要素の間に、他の粘着剤層が少なくとも領域的に設けられている。それによって、閉鎖タブを固定すべき材料に、閉鎖タブを強く押し付けると、粘着力が更に増大する。従って、第１の種類の閉鎖要素は曲げられるかあるいは材料に侵入する。
他の粘着剤層の厚さが閉鎖タブの縦方向に変化していると有利である。それによって、異なる大きさの粘着力を有する範囲を形成することができる。
他の粘着剤層の厚さがタブの自由端の方に薄くなっていると有利である。それによって、着用者に当てがわれる用品の開放時に、小さな粘着力を有する閉鎖タブ端部を容易に剥がすことができる。
次に、図を参照して実施の形態に基づいて本発明を詳しく説明する。
図１は本発明による衛生用品を伸ばして平らにした状態を示す図、
図２，３は衛生用品の閉鎖タブの実施の形態を示す横断面図である。
図に示した、１回限りの使用のための本発明による衛生用品１０は、使い捨ておむつ、失禁製品等である。以下において、衛生用品はおむつと呼ぶ。図において、同じ部分には同じ参照符号で示してある。
図１において、おむつ１０は伸ばして平らにした状態にあり、着用者と反対側から、すなわち外側から見て示してある。おむつ１０は前側部分１２、後側部分１４およびその間に配置された処置範囲１６を備えている。おむつ１０は好ましくは、図示していない方法で公知のごとく、液体を通さない後側層と、液体を通すカバーと、その間に配置された吸収体とによって形成されている。この吸収体は例えばセルロース綿状物および場合によっては超吸収性物質からなっている。着用者の脚のところでおむつ１０を良好にシールするために、処置範囲１６内の脚用切込み１８の領域内に、弾性的な要素を設けることができる。
前側部分１２と後側部分１４はそれぞれ、ウエスト縁部と側方縁部２０，２２を備えている。前側およびまたは後側のウエスト縁部には、弾性的な要素を設けることができるので、前側およびまたは後側のウエスト縁部範囲は弾性的に形成されている。それによってウエストの範囲において着用者の体に対するおむつ１０のシールを良好にすることができる。
おむつ１０は側方縁部２０，２２に、各々１個の閉鎖タブ２４，２６を備えている。この閉鎖タブによって、後側部分１４は側方縁部２を介して前側部分１２に連結可能である。それによって、着用者に当てがわれたおむつを閉じることができる。そのために、図２，３に詳しく示す閉鎖タブ２４，２６が少なくとも１つの閉鎖部分３０、例えば環（ループ）を有する面ファスナーによって係合可能である。
図２，３には、閉鎖タブ２４または２６が拡大横断面図で示してある。閉鎖タブは少なくとも一部範囲２８に、第１の種類の機械的な閉鎖要素３２を備えている。この閉鎖要素は閉鎖部分３０の詳しく示していない第２の種類の閉鎖要素に機械的に連結可能である。第１の種類の閉鎖要素３２は例えば公知の面ファスナーの小さなフックである。このフックは閉鎖部分３０のループと協働することができる。
第１の種類の閉鎖要素３２は好ましくは、柱部３４と頭部３６を有するキノコの形をしている。この場合、頭部３６は好ましくは平坦であり、第１の種類の閉鎖要素３２は図２，３に示した横断面でほぼＴ字形である。このＴ字状の閉鎖要素３２は上記の小さなフックのように、閉鎖部分３０のループと機械的に協働することができる。
第１の種類の閉鎖要素３２の少なくとも一部は、閉鎖タブ２４と反対側の端部に、すなわち図示実施の形態ではその頭部３６に、それぞれ粘着剤層３８を備えている。好ましくはほぼ全部の閉鎖要素３２が粘着剤層３８を備えている。その際、粘着剤層３８は頭部３６全体または頭部３６の一部だけ（図３）を覆っている。接着性粘着剤であるので、閉鎖タブ２４，２６の第１の種類の閉鎖要素（３２）は、用品の他の部分の閉鎖部分３０の外側にも固定可能であり、それによって用品を折り畳んだ形または丸めた形に保持し、確実に廃棄することができる。第２の種類の閉鎖要素を有する閉鎖部分３０は粘着剤を有しておらず、閉鎖タブ２４，２６によって機械的な保持連結部を形成している。
図３に示した他の実施の形態では、第１の種類の閉鎖要素の間の中間室４０の少なくとも一部領域内に、他の粘着剤層４２が設けられている。この他の粘着剤層４２の厚さＤは好ましくは閉鎖タブ２４または２６の縦方向に変化している。その際、厚さＤがタブ自由端４４の方に連続的に、すなわち徐々に薄くなっていると有利である。タブ自由端４４に隣接する中間室４０′は場合によっては、粘着剤を備えておらず、おむつに固定されたタブ端部に隣接する中間室４０には粘着剤がほぼ完全に充填されている。
タブ自由端４４は好ましくは機械的な閉鎖要素も粘着剤層も備えておらず、従って固着された閉鎖タブを剥がすために掴むことができる。
【図１】
0004201841.tif 000002
【図２】
0004201841.tif 000003
【図３】
0004201841.tif 000004